(57)【要約】      （修正有）【課題】バンドフープが散けることを防止し、且つ、バンドフープの残量にかかわらずバンドフープの脱落を防止することを簡単な機構で実現することが可能な収容ケースを提供する。【解決手段】収容ケース１０は、外枠１１及び外枠１２を備える。外枠１１は、ヒンジによって回動可能に連結された開閉プレート１５と固定プレート１６とにより構成されている。固定プレート１６は、３つボス２３とネジによって外枠１２に固定されている。ボス２３は、固定プレート１６及び外枠１２の外縁部分に配置されている。開閉プレート１５の内面において、外縁部分に２つのボス２２が固定され、中心部分に支持軸３５が固定されている。開閉プレート１５が閉塞姿勢にあるときに、ボス２２は外枠１２の内面に当接し、支持軸３５はバンドフープの中心穴に配置される。【選択図】図４
0003148303.tif 000002
【実用新案登録請求の範囲】
【請求項１】
細幅帯状の結束用バンドが多重に巻回されたバンドフープを収容する収容ケースであって、
互いに対向するよう配置される第１プレート及び第２プレートと、
上記第１プレート及び上記第２プレートを所定間隔で保持するとともに上記第１プレート及び上記第２プレートによって挟まれた空間に上記バンドフープの収容室を形成する複数の保持具と、を備え、
少なくとも上記第１プレートは、
上記収容室の中央部を覆う第１分割プレートと、
上記第１分割プレートに連結されて上記第１プレートを形成する第２分割プレートと、
上記第２分割プレートと上記第１分割プレートとを連結し、上記収容室を開放する開放姿勢と上記収容室を閉塞する閉塞姿勢との間で上記第２分割プレートに対して上記第１分割プレートを回動可能に支持する連結支持具と、を有し、
上記第１分割プレートは、
当該第１分割プレートに立設され、上記閉塞姿勢において上記収容室の中央部に配置される軸部材を有するバンドフープの収容ケース。
【請求項２】
上記複数の保持具は、一端が上記第１分割プレートに固定される柱状の第１保持具と、一端が上記第２分割プレートに固定され他端が上記第２プレートに固定される柱状の第２保持具とにより構成されており、
上記連結支持具は、上記第１分割プレートを上記閉塞姿勢側に弾性的に回動付勢する弾性部材を有する請求項１に記載のバンドフープの収容ケース。
【請求項３】
上記第１分割プレートが上記閉塞姿勢にある状態で上記第１分割プレートを上記第２プレートに仮止めする係止手段を更に備える請求項１又は２に記載のバンドフープの収容ケース。
【請求項４】
上記係止手段は、上記第２プレートに設けられた貫通孔と、上記第１分割プレートに立設される突出部材とを有し、
上記突出部材は、上記貫通孔に挿通される挿通部を有し、当該挿通部の外周面に溝が形成されている請求項３に記載のバンドフープの収容ケース。
【請求項５】
上記第１プレート及び上記第２プレートの双方若しくはいずれか一方に、一つ又は複数の開口が設けられている請求項１から４のいずれかに記載のバンドフープの収容ケース。
【請求項６】
上記第２プレートは、当該収容ケースを掛止するための掛止部を有する請求項１から５のいずれかに記載のバンドフープの収容ケース。
【考案の詳細な説明】
【技術分野】
【０００１】
本考案は、細幅帯状の結束用バンドが多重に巻回されたバンドフープを収容する収容ケースに関する。
【背景技術】
【０００２】
従来、固縛対象となる物品を結束するために、細幅で帯状の長尺な結束用バンドが用いられている。結束用バンドとしては、例えば、複数の物品をひとまとめに結束したり、ダンボール箱を結束したりするために用いられる樹脂製のバンド（以下「樹脂バンド」と称される。）が公知である。特に、重量物を結束する際には、金属製のバンド（以下「金属バンド」と称される。）が用いられる。樹脂バンドは、主にポリプロピレン（ＰＰ）やポリエチレン（ＰＥ）などで形成されており、金属バンドは、主にステンレスなどで形成されている。この種の結束バンドは、必要に応じて適切な長さに切断して使用される。そのため、結束バンドは、長さが数十ｍから数千ｍに形成されており、これが多重に巻回されてコンパクトにされたフープ状態で市場に流通している。なお、フープ状態にされた結束バンドは、一般にバンドフープと呼ばれており、本明細書においても、フープ状態にされた結束バンドがバンドフープと称される。
【０００３】
未使用のバンドフープは、通常、結束バンドの端部がバンドフープと一体となるように所定の固定具などで固定されている。従って、未使用のバンドフープは、外縁部分の結束バンドが散けることなくフープ状態を保持している。バンドフープが使用される際に、結束バンドの端部の固定が解除される。樹脂バンドや金属バンドは、その素材の性質上、弾性を有する。そのため、結束バンドの端部の固定が解除されると、曲率の小さいバンドフープの外縁部分は、フープ状態を保持することができず散けてしまう。特に金属バンドは、樹脂バンドに比べて弾性が高いため、勢いよく散けてしまい、作業者や結束対象となる物品に危害を与えるおそれがある。このような問題を解決するため、従来より、バンドフープが散けないように収容するための収容ケースが提案されている。
【０００４】
図６及び図７に上記収容ケースの従来例が示されている。図６は、従来の収容ケース１００の構成を模式的に示す斜視図である。図７は、収容ケース１００にバンドフープ１０２を収容する方法を説明するための斜視図である。従来の収容ケース１００は、作業者が携帯して持ち運び可能なサイズに形成されており、図６及び図７に示されるように、収容ケース１００は、互いに対向するように配置された２つの円盤状の外枠１０４及び外枠１０５を備える。外枠１０４と外枠１０５とによって挟まれた空間に複数のボス１０７（図７参照）が配置されている。なお、図６では、ボス１０７が外枠１０４で隠されているため図示されておらず、図７では、ボス１０７の一部のみが図示されている。これらのボス１０７は、外枠１０４及び外枠１０５それぞれの外縁部分に配置されており、外枠１０４及び外枠１０５それぞれの外面からボス１０７のネジ穴にネジ１０９が螺合されることによって、外枠１０４及び外枠１０５それぞれに固定されている。これにより、外枠１０４と外枠１０５との間がボス１０７によって所定間隔に保持されるとともに、外枠１０４及び外枠１０５によって挟まれた空間に、ボス１０７によって囲まれた収容空間１１４が形成される。この収容空間１１４内にバンドフープ１０２が収容される。
【０００５】
外枠１０４は、円盤が２つに分割された第１分割板１１１と第２分割板１１２とから構成されている。第１分割板１１１は、第２分割板１１２よりも大きく形成されており、収容空間１１４の中心部を覆っている。第１分割板１１１と第２分割板１１２とは、ヒンジ１１７によって連結されている。これにより、第１分割板１１１及び第２分割板１１２は、ヒンジ１１７を中心軸として回動可能となる。
【０００６】
従来の収容ケース１００にバンドフープ１０２を収容する場合、まず、第２分割板１１２に固定された２つのボス１０７Ａに螺合する外枠１０５側のネジ１０９が外される。これにより、第２分割板１１２が第１分割板１１１に対して回動可能となる。作業者は、第２分割板１１２を回動させることによって、収容空間１１４を開放する。そして、作業者は、収容空間１１４の開放部１１９から収容空間１１４内にバンドフープ１０２を挿入する。その後、第２分割板１１２が閉じられ、更に外枠１０５の外側からボス１０７Ａにネジ１０９がねじ込まれることによって、開放部１１９が閉じられて、バンドフープ１０２が収容ケース１００に収容される。これにより、バンドフープ１０２の外周面が複数のボス１０７に当接するため、バンドフープ１０２の外縁部分が散けることが防止される。
【考案の開示】
【考案が解決しようとする課題】
【０００７】
ところで、上記バンドフープ１０２は、中心に近づくほど結束バンドの曲率が大きい。そのため、バンドフープ１０２の中心に近い結束バンドは、バンドフープ１０２の外縁部分の結束バンドとは異なり、フープ状に変形した状態を保持している。このようなバンドフープ１０２が上述した従来の収容ケース１００に収容された場合、バンドフープ１０２の残量が少なくなると、小さくなったバンドフープ１０２が隣接するボス１０７間の隙間から外部へ脱落するという問題がある。かかる問題は、より多くのボス１０７を設けることにより解決され得るが、ボス１０７が増加すると、収容ケース１００の組立作業が繁雑になるという問題が生じる。また、第２分割板１１２におけるボス１０７が増加すると、作業者は、第２分割板１１２を開閉する度に多数のネジ１０９を着脱しなければならず、ハンドフープ１０２を収容空間１１４に収容する作業が煩雑になるという問題がある。
【０００８】
また、第２分割板１１２におけるボス１０７が増加すると、ボス１０７から取り外されたネジ１０９が紛失されやすくなるため、ボス１０７を増加するのは好ましくない。
【０００９】
そこで、本考案は、上記事情に鑑みてなされたものであり、その目的とするところは、バンドフープが散けることを防止し、且つ、バンドフープの残量にかかわらずバンドフープの脱落を防止することを簡単な機構で実現することが可能な収容ケースを提供することにある。また、収容ケースの組み立て作業、或いはバンドフープが収容される収容室の開閉作業を容易に行うことが可能な収容ケースを提供することにある。
【課題を解決するための手段】
【００１０】
(1)  上記目的が達成されるため、本考案は、細幅帯状の結束用バンドが多重に巻回されたバンドフープを収容する収容ケースとして構成されている。この収容ケースは、互いに対向するよう配置される第１プレート及び第２プレートと、上記第１プレート及び上記第２プレートを所定間隔で保持するとともに上記第１プレート及び上記第２プレートによって挟まれた空間に上記バンドフープの収容室を形成する複数の保持具と、を備える。少なくとも上記第１プレートは、上記収容室の中央部を覆う第１分割プレートと、上記第１分割プレートに連結されて上記第１プレートを形成する第２分割プレートと、上記第２分割プレートと上記第１分割プレートとを連結し、上記収容室を開放する開放姿勢と上記収容室を閉塞する閉塞姿勢との間で上記第２分割プレートに対して上記第１分割プレートを回動可能に支持する連結支持具と、を有している。上記第１分割プレートは、当該第１分割プレートに立設され、上記閉塞姿勢において上記収容室の中央部に配置される軸部材を有している。
【００１１】
収容ケースの収容室にバンドフープが収容されると、バンドフープの外周面が複数の保持具に当接する。そのため、バンドフープの外縁部分が散けることが保持具によって防止される。また、第１分割プレートが開放姿勢にあるときは、軸部材が収容室の外に配置されるため、軸部材はバンドフープを収容室に収容する際の障害にならない。これにより、作業者はバンドフープを収容室に容易に収容することが可能である。また、第１分割プレートが閉塞姿勢にあるときは、バンドフープの中心穴に軸部材が配置されるため、バンドフープは軸部材によって支持される。これにより、バンドフープの残量が少なくなってバンドフープが小さくなったとしても、バンドフープが保持具の隙間から外部へ脱落することはない。
【００１２】
(2)  上記複数の保持具は、一端が上記第１分割プレートに固定される柱状の第１保持具と、一端が上記第２分割プレートに固定され他端が上記第２プレートに固定される柱状の第２保持具とにより構成されている。この場合、上記連結支持具は、上記第１分割プレートを上記閉塞姿勢側に弾性的に回動付勢する弾性部材を有することが好ましい。
【００１３】
これにより、作業者が意図的に第１分割プレートを開こうとしない限り、第１分割プレートは閉塞姿勢を保持する。
【００１４】
(3)  上記第１分割プレートが上記閉塞姿勢にある状態で上記第１分割プレートを上記第２プレートに仮止めする係止手段を更に備える。
【００１５】
これにより、第１分割プレートが第２プレートに仮止めされる。従って、第１分割プレートに一定の外力が作用しない限り、第１分割プレートは第２プレートに確実に係止される。なお、上述したように、第１分割プレートが閉塞姿勢にあるときは、軸部材によってバンドフープが支持される。このため、仮に、本発明の収容ケースが第１分割プレート側を鉛直下方に向けられても、バンドフープが係止手段に押し付けられず、係止手段に負担がかかることはない。このように、軸部材が設けられているため、上記係止手段は、第１分割プレートを第２プレートに仮止めする程度の簡単な構造が採用され得る。
【００１６】
(4)  上記係止手段は、上記第２プレートに設けられた貫通孔と、上記第１分割プレートに立設される突出部材とを有する。上記突出部材は、上記貫通孔に挿通される挿通部を有している。当該挿通部の外周面には溝が形成されている。
【００１７】
これにより、係止手段が具体的に実現される。
【００１８】
(5)  上記第１プレート及び上記第２プレートの双方若しくはいずれか一方に、一つ又は複数の開口が設けられている。
【００１９】
これにより、作業者は、開口を通じて外部からバンドフープの残量を確認することができる。また、作業者は、結束バンドの端部が固定された未使用のバンドフープを収容室に収容した後に、開口から結束バンドの端部の固定を容易に解除することができる。そのため、作業者の使い勝手が向上する。
【００２０】
(6)  上記第２プレートは、当該収容ケースを掛止するための掛止部を有している。
【００２１】
上記掛止部は、所謂ハンガーを構成している。これにより、作業者は、収容ケースを壁に設けられたフックなどに容易に引っ掛けることができる。
【考案の効果】
【００２２】
本考案の収容ケースによれば、簡単な機構で、バンドフープが散けることを防止することができ、しかも、バンドフープの残量にかかわらずバンドフープの脱落を防止することができる。また、バンドフープが散けることを防止し得る必要最小数の固定具が設けられればよいので、収容ケースの組み立て作業、或いは収容室の開閉作業を容易に行うことが可能となる。
【考案を実施するための最良の形態】
【００２３】
以下、適宜図面が参照されつつ、好ましい実施形態に基づいて本考案が詳細に説明される。なお、以下の実施形態は本考案が具体化された一例にすぎず、本考案の要旨を変更しない範囲で、実施形態が適宜変更され得ることは勿論である。
【００２４】
図１は、本考案の実施形態に係る収容ケース１０の正面図である。図２及び図３は、収容ケース１０の側面図であり、図２には、開閉プレートが閉じられた状態が示されており、図３には、開閉プレートが開けられた状態が示されている。図４は、収容ケース１０の斜視図であり、開閉プレートが全開された状態が示されている。図５は、収容ケース１０の裏面上部の構成を示す部分拡大図である。
【００２５】
収容ケース１０は、長尺な結束用バンドが多重に巻回されたバンドフープ１０２（図７参照）を収容するものであり、図１乃至図３に示されるように、互いに対向するように配置された正面側の外枠１１（本考案の第１プレートの一例）と裏面側の外枠１２（本考案の第２プレートの一例）とを備える。本実施形態では、収容ケース１０は、作業者が携帯して持ち運び可能なサイズに形成されている。
【００２６】
外枠１１及び外枠１２は、ぞれぞれ、円盤形状に形成されている。外枠１１及び外枠１２は、防錆にすぐれ十分な強度を有し、且つ、軽量な素材であるアルミニウム合金の板部材で構成されている。そのため、作業者は、収容ケース１０を容易に持ち運び可能となる。なお、外枠１１及び外枠１２は、アルミニウム合金以外の金属板で構成されていてもよく、或いは合成樹脂製の板部材で構成されていてもよい。
【００２７】
外枠１１は、開閉プレート１５（本考案の第１分割プレートの一例）と、固定プレート１６（本考案の第２分割プレートの一例）と、ヒンジ１７（本考案の連結支持具の一例）とを有する。開閉プレート１５及び固定プレート１６は、一つの円盤が２つに切断されることによって分割されたものである。詳細には、円盤の中心部を外れた位置に定められた仮想切断線に沿って当該円盤が切断されることで、円盤の中心部を含む開閉プレート１５と、円盤の中心部を含まない固定プレート１６とに分割される。固定プレート１６は、後述されるように、ボス２３によって外枠１２に固定される。
【００２８】
開閉プレート１５及び固定プレート１６は、上記仮想切断線で切断された部分が周知のヒンジ１７によって連結されており、当該ヒンジ１７は、ネジなどの固定具によって開閉プレート１５及び固定プレート１６に固定されている。これにより、固定プレート１６に対して、開閉プレート１５がヒンジ１７の回動軸１９を中心に回動可能となる。本実施形態では、開閉プレート１５は、閉塞姿勢（図２参照）と、開放姿勢（図３参照）との間で姿勢変化するように回動可能である。ここで、閉塞姿勢とは、図２に示されるように、開閉プレート１５が外枠１２と平行な状態となって、後述される収容空間３１（本考案の収容室に相当）を閉塞する姿勢である。また、開放姿勢とは、図３に示されるように、開閉プレート１５が外枠１２から離反して後述される収容空間３１を開放する姿勢である。なお、ヒンジ１７の回動軸１９には、トーションバネ１８（本考案の弾性部材の一例）が取り付けられている。トーションバネ１８は、開閉プレート１５を外枠１２へ近づける方向、つまり、収容空間３１を閉塞させる方向へ所定の弾性力で付勢している。なお、トーションバネ１８に代えて、板バネが採用されてもよい。また、バネ以外で弾性力を有するゴムなどの弾性部材によって開閉プレート１５が付勢されてもよい。
【００２９】
外枠１１と外枠１２との間に、係合ピン２１（本考案の突出部材の一例）と、２つのボス２２（本考案の第１保持具の一例）と、３つのボス２３（本考案の第２保持具の一例）とが設けられている。なお、ボス２２及びボス２３は、本考案の保持具の一例である。係合ピン２１、ボス２２、ボス２３は、それぞれ、外枠１１及び外枠１２の中心を取り囲むようにして各外枠１１，１２の外縁部分に配置されている。係合ピン２１、ボス２２、ボス２３は、それぞれ、外枠１１及び外枠１２の中心から等距離だけ離れた位置に配置されている。外枠１１と外枠１２とによって挟まれ、更に係合ピン２１、ボス２２、ボス２３によって取り囲まれた空間が、バンドフープ１０２が収容される収容空間３１である。言い換えると、収容空間３１は、外枠１１と外枠１２とによって挟まれた空間において、係合ピン２１、ボス２２、ボス２３によって形成される。このように形成される収容空間３１においては、その中心が外枠１１及び外枠１２の中心に概ね一致している。
【００３０】
ボス２２，２３は、円柱状の部材であって、その軸方向に貫通するネジ穴が形成されたものである。このボス２２，２３に代えて、周知の高ナットが用いられてもよい。ボス２２，２３は、それぞれ、同じ長さに形成されている。３つのボス２３それぞれの一端は、外枠１１の固定プレート１６に形成された貫通孔（不図示）に外側から挿入されたネジ２８と螺合している。これにより、ボス２３の一端が固定プレート１６、つまり外枠１１に固定される。一方、ボス２３の他端は、外枠１２に形成された貫通孔（不図示）に外側から挿入されたネジ２８と螺合している。これにより、ボス２３の他端が外枠１２に固定される。すなわち、ボス２３は、固定プレート１６及び外枠１２の双方に固定されている。このように、ボス２３の両端が固定プレート１６及び外枠１２に固定されることによって、固定プレート１６と外枠１２とがボス２３を介して一定の間隔を保持した状態で支持される。
【００３１】
２つのボス２２それぞれの一端は、開閉プレート１５に形成された貫通孔（不図示）に外側から挿入されたネジ２８と螺合している。これにより、ボス２２の一端が開閉プレート１５、つまり外枠１１に固定される。なお、ボス２２の他端はどこにも固定されていない。このようにボス２２が開閉プレート１５に固定されているため、開閉プレート１５が外枠１２側へ回動されると、その回動動作は、ボス２２が外枠１２の内面に当接することによって規制される。ボス２２が外枠１２の内面に当接したときの開閉プレート１５の姿勢が、図２に示される閉塞姿勢である。開閉プレート１５が閉塞姿勢にある状態で、開閉プレート１５と外枠１２とがボス２２によって一定の間隔に保持される。
【００３２】
係合ピン２１は、概ね円柱状の部材であって、その軸方向の一端にネジ穴が形成された胴部２１Ａと、後述する貫通孔２６（本考案の貫通孔の一例）に挿通されるヘッド部２１Ｂとを有する。ヘッド部２１Ｂは、その頂部から胴部２１Ａ側へ向けて末広がり形状、換言すれば、笠形状に形成されている。胴部２１Ａとヘッド部２１Ｂとの間に、係合溝２５（本考案の溝の一例）が形成されている。係合溝２５は、係合ピン２１の周方向に連続して形成されている。なお、ヘッド部２１Ｂ及び係合溝２５を含む部分が本発明の挿通部に相当する。
【００３３】
図２及び図３に示されるように、胴部２１Ａは、開閉プレート１５に形成された貫通孔（不図示）に外側から挿入されたネジ２８と螺合している。これにより、係合ピン２１が開閉プレート１５の内面から突出するように該内面に立設する。外枠１２の外縁部分には、係合ピン２１に対応する箇所に貫通孔２６が形成されている。係合ピン２１は、固定プレート１６及び外枠１２間の間隔よりも長く形成されており、開閉プレート１５が閉塞姿勢（図２参照）にある状態で、そのヘッド部２１Ｂが貫通孔２６に挿通される。このとき、図５に示されるように、ヘッド部２１Ｂの外周縁が貫通孔２６の周縁に係合されて、開閉プレート１５が外枠１２に仮止めされる。ここで、仮止めとは、開閉プレート１５に開放姿勢側へ所定以上の外力が加えられない限り、ヘッド部２１Ｂの外周縁が貫通孔２６の周縁に引っ掛かった状態の係止を意味する。なお、本実施形態では、係合ピン２１と貫通孔２６とによって、本考案の係止手段が具現化されている。
【００３４】
開閉プレート１５の内面に支持軸３５（本考案の軸部材の一例）が立設されている。支持軸３５は、外枠１１の中心部分に設けられている。支持軸３５は、円柱状の部材であって、その軸方向に貫通するネジ穴が形成されたものである。支持軸３５は、開閉プレート１５に形成された貫通孔（不図示）に外側から挿入されたネジ２８と螺着されている。これにより、支持軸３５が開閉プレート１５の内面から突出するように該内面に立設する。支持軸３５の長さは、ボス２２及びボス２３と同じであり、支持軸３５の外径はボス２２及びボス２３よりも大きく形成されている。支持軸３５の外径は、バンドフープ１０２の中心穴１０３（図７参照）に挿通可能なサイズであれば、その範囲内で変更可能である。このような支持軸３５が開閉プレート１５において外枠１１の中心部分に設けられているため、開閉プレート１５が閉塞姿勢（図２参照）にあるときに、収容空間３１の中心部に配置される。
【００３５】
開閉プレート１５には２つの開口３８が設けられている。開口３８は、支持軸３５の付近から半径方向へ延びる末広がりの台形状に形成されている。また、図４に示されるように、外枠１２にも、開口３８と同形状の開口３９が設けられている。これらの開口３８，３９が設けられているため、作業者は、開口３８，３９を通じて外部からバンドフープ１０２の残量を確認することができる。また、作業者は、結束バンドの端部が固定された未使用のバンドフープ１０２を収容空間３１に収容した後に、開口３８，３９から結束バンドの端部の固定を容易に解除することができる。そのため、作業者の使い勝手が向上する。なお、開口３８，３９のサイズや数は必要に応じて変更可能である。
【００３６】
図５に示されるように、外枠１２は、円盤の周縁から一部が外方へ延出された突出片４１（本考案の掛止部の一例）を有する。突出片４１は、図１において係合ピン２１の直上に配置されている。突出片４１には、３つの貫通孔４３が形成されている。貫通孔４３は、例えば、手の指が挿通可能なサイズに形成されている。このような突出片４１が設けられているため、作業者は、壁などに設けられたフックに貫通孔４３を挿通させることで、収容ケース１０を壁に掛けて吊り下げた状態で保管することができる。また、作業者は、貫通孔４３に手の指を通すことで、収容ケース１０を引っ掛けるようにして持つことができる。
【００３７】
以上、説明されたように、本実施形態では、外枠１１及び外枠１２の外縁部分に係合ピン２１や複数のボス２２，２３が設けられているため、収容空間３１にバンドフープ１０が収容されることによって、バンドフープ１０の外縁部分が散けることが係合ピン２１や複数のボス２２，２３によって防止される。また、開閉プレート１５に支持軸３５が設けられているため、物品を結束する際にバンドが使用されてバンドフープ１０２が小さくなっても、バンドフープ１０２が係合ピン２１やボス２２，２３の隙間から脱落しない。
【００３８】
また、トーションバネ１８を有するヒンジ１７によって開閉プレート１５と固定プレート１６とが連結されているため、開閉プレート１５に一定以上の外力が加えられない限り、開閉プレート１５は、閉塞姿勢を保持することができる。
【００３９】
また、開閉プレート１５に係合ピン２１が設けられているため、係合ピン２１のヘッド部２１Ｂの外周縁が貫通孔２６の周縁に仮止めされることにより、開閉プレート１５と外枠１２とが確実に係止される。
【図面の簡単な説明】
【００４０】
【図１】図１は、本考案の実施形態に係る収容ケース１０の正面図である。
【図２】図２は、本考案の実施形態に係る収容ケース１０の側面図であり、開閉プレート１５が閉じられた状態が示されている。
【図３】図３は、本考案の実施形態に係る収容ケース１０の側面図であり、開閉プレート１５が開けられた状態が示されている。
【図４】図４は、本考案の実施形態に係る収容ケース１０の斜視図であり、開閉プレート１５が全開された状態が示されている。
【図５】図５は、本考案の実施形態に係る収容ケース１０の裏面上部の構成を示す部分拡大図である。
【図６】図６は、従来の収容ケース１００の構成を模式的に示す斜視図である。
【図７】図７は、従来の収容ケース１００にバンドフープ１０２を収容する方法を説明するための斜視図である。
【符号の説明】
【００４１】
１０・・・収容ケース
１１・・・外枠
１２・・・外枠
１５・・・開閉プレート
１６・・・固定プレート
１７・・・ヒンジ
１８・・・トーションバネ
２１・・・係合ピン
２２・・・ボス
２３・・・ボス
２５・・・係合溝
２６・・・貫通孔
２８・・・ネジ
３１・・・収容空間
３５・・・支持軸
３８，３９・・・開口
４１・・・突出片
【図１】
0003148303.tif 000003
【図２】
0003148303.tif 000004
【図３】
0003148303.tif 000005
【図４】
0003148303.tif 000006
【図５】
0003148303.tif 000007
【図６】
0003148303.tif 000008
【図７】
0003148303.tif 000009